(57)【要約】【課題】ラベルプリンタ本体部の正面側でなくとも、良好な操作性の操作部および良好な視認性の表示部を有するラベルプリンタを提供する。【解決手段】ラベルプリンタ１は、印字機構部３を備える本体部１ａ上に回動自在に設けられた操作部７と、操作部７上に傾斜自在に設けられた表示部９ｂとを有し、表示部９ｂと操作部７とが連動して回動してなる。ラベルプリンタ１は、本体部１ａに対して操作部７を回動自在に連結する連結部材７１と、操作部７に対して表示部９ｂを傾斜自在に連結するヒンジ部７５と、を有する。【選択図】図２
2018197002.tif 000002
【特許請求の範囲】
【請求項１】
ラベルプリンタであって、
印字機構部を備える本体部上面において回動自在に設けられた操作部と、
前記操作部上にあって、底部が前記操作部上端よりも下側に配置された表示部と、を有し、
前記底部が前記操作部上端よりも下側に配置された前記表示部が、該表示部の背面側に配置された連結部によって前記操作部に傾斜自在に支持され、
前記表示部と前記操作部とは連動して回動してなることを特徴とする
ラベルプリンタ。
【請求項２】
前記操作部は、当該操作部が装置幅内に収まる位置にある非回動状態と、当該操作部が装置幅を超える位置にある回動状態と、の範囲で回動することを特徴とする請求項１に記載のラベルプリンタ。
【請求項３】
前記操作部は、前記本体部上面の略前方側の略中心部を中心にして回動自在に設けられると共に、当該操作部が装置幅内に収まる位置にある非回動状態と、当該操作部を左側に最大限回動した際に当該操作部の左側が装置幅を超える範囲と、当該操作部を右側に最大限回動した際に右側が装置幅を超える範囲と、が左右略対称となる回動状態と、の範囲で回動することを特徴とする請求項１または請求項２に記載のラベルプリンタ。
【発明の詳細な説明】
【技術分野】
【０００１】
本発明は、ラベルプリンタに関する。
【背景技術】
【０００２】
ラベルを発行するラベルプリンタが知られている（例えば、特許文献１参照）。特許文献１に記載のラベルプリンタでは、本体部の上部に表示部などが設けられている。
【先行技術文献】
【特許文献】
【０００３】
【特許文献１】特開２０１４−８６４７号公報
【発明の概要】
【発明が解決しようとする課題】
【０００４】
しかしながら、特許文献１に記載のラベルプリンタを、例えば、店内の所定位置に設置したとき、設置場所によっては、操作者がラベルプリンタの正面側に立って操作などを行えない場合がある。この場合、操作部を操作しにくいことがある。また、表示部の画面が見づらいことがある。
【０００５】
本発明は、上述した問題に鑑みてなされたものであって、ラベルプリンタ本体部の正面側でなくとも、良好な操作性の操作部および良好な視認性の表示部を有するラベルプリンタを提供すること、などを目的とする。
【課題を解決するための手段】
【０００６】
このような目的を達成するために、本発明によるラベルプリンタは、印字機構部を備える本体部上面において回動自在に設けられた操作部と、前記操作部上にあって、底部が前記操作部上端よりも下側に配置された表示部と、を有し、前記底部が前記操作部上端よりも下側に配置された前記表示部が、該表示部の背面側に配置された連結部によって前記操作部に傾斜自在に支持され、前記表示部と前記操作部とは連動して回動してなることを特徴とする。
【発明の効果】
【０００７】
本発明によれば、ラベルプリンタ本体部の正面側でなくとも、良好な操作性の操作部および良好な視認性の表示部を有するラベルプリンタを提供することができる。
【図面の簡単な説明】
【０００８】
【図１】本発明の実施形態に係るラベルプリンタの一例を示す斜視図。
【図２】本発明の実施形態に係るラベルプリンタの一例を示す側面図、（ａ）は表示部が立設した状態を示す図、（ｂ）は表示部が傾斜した状態を示す図。
【図３】本発明の実施形態に係るラベルプリンタの一例を示す図、（ａ），（ｂ）は操作部および表示部が連動して左または右に回動した状態を示す図。
【図４】本発明の実施形態に係るラベルプリンタの一例を示す機能ブロック図。
【図５】ラベルプリンタの後側からの斜視図。
【図６】ラベルプリンタの一例を示す分解斜視図。
【発明を実施するための形態】
【０００９】
本発明の実施形態に係るラベルプリンタを、図面を参照しながら説明する。
図１は本発明の実施形態に係るラベルプリンタ１の一例を示す斜視図である。図２はラベルプリンタ１の一例を示す側面図である。詳細には、図２（ａ）は表示部９ｂが立設した状態を示す図、図２（ｂ）は表示部９ｂが傾斜した状態を示す図である。
【００１０】
図３はラベルプリンタ１の一例を示す図である。詳細には、図３（ａ），図３（ｂ）は操作部７および表示部９ｂが連動して左または右に回動した状態を示す図である。
【００１１】
図４はラベルプリンタ１の機能ブロック図である。図５はラベルプリンタ１の後側からの斜視図である。図６はラベルプリンタ１の一例を示す分解斜視図である。
【００１２】
ラベルプリンタ１は、本体部１ａに印字機構部３を備える。印字機構部３はラベルを発行する。
本体部１ａは、例えば、ラベルロールを収容可能である。本体部１ａの上部に表示入力部５が設けられている。表示入力部５は、液晶表示器などの表示部９ｂと、タッチパネル９ａと、キーボードなどの操作部７（キー操作部）とを有する。
【００１３】
ラベルプリンタ１は、詳細には、本体部１ａ内に制御装置１００を有する。制御装置１００は、印字機構部３、表示入力部５などを統括的に制御する。
【００１４】
制御装置１００は、制御部である制御部２０（ＣＰＵ）と、通信部２１と、印字・搬送制御部２２と、表示制御部２５と、操作制御部２４と、ＲＡＭ３０と、ＲＯＭ４０と、などを有する。制御装置１００の各構成要素はバスなどの通信線で電気的に接続されている。
【００１５】
制御部２０は、制御装置１００の各構成要素を統括的に制御する。詳細には、制御部２０は、ＲＡＭ３０やＲＯＭ４０などの記憶部に記憶されている制御用のプログラムを実行することにより、本発明に係る機能をコンピュータとしてのラベルプリンタ１に実現させる。
【００１６】
通信部２１は、制御部２０の制御により、コンピュータなどと通信を行う。
【００１７】
記憶部としてのＲＡＭ３０やＲＯＭ４０には、制御用のプログラム、商品データ、各種パラメータ、などが記憶されている。
【００１８】
表示制御部２５は、制御部２０の制御により、表示入力部５の表示部９ｂに、ラベルプリンタ１に関する画像などを表示させる。
【００１９】
操作制御部２４は、表示入力部５の操作部７（キー操作部）やタッチパネル９ａなどの入力装置からの信号を受信し、その信号を制御部２０に出力する。制御部２０は、入力装置からの入力に基づいて本発明に係る各動作を行う。
【００２０】
印字・搬送制御部２２は、印字機構部３に電気的に接続されており、制御部２０の制御に基づいて、印字機構部３によりラベルを発行させる。
【００２１】
印字機構部３は、繰出手段３１と、印字手段３２と、剥離手段３３と、切断手段３４と、などを有する。
繰出手段３１は、モータにより回転駆動されるプラテンローラや排紙ローラなどを有し、ラベルを仮着したロール状の台紙からラベル用紙を設定された繰出速度にて繰り出す。
【００２２】
印字手段３２は、繰出手段３１よりも下流側（ラベル発行方向の下流側）に設けられた印字ヘッドなどを有し、制御部２０の制御により印字ヘッドによりラベルに印字を行う。詳細には、印字手段３２は、台紙に仮着されたラベルに印字ヘッドにより印字を行う。
【００２３】
剥離手段３３は、繰出手段３１で繰り出されたラベル用紙のラベルを台紙から剥離する。詳細には、剥離手段３３は、印字手段３２よりも下流側に設けられたディスペンサなどを有し、ディスペンサによりラベルを台紙から剥離する。尚、剥離手段３３により台紙からラベルを剥離しない発行形態であれば、ラベルプリンタ１に剥離手段３３を設けない構成であってもよい。
【００２４】
切断手段３４は、印字手段３２よりも下流側に配置されたカッタなどを有し、制御部２０の制御により必要に応じてラベル用紙を切断する。尚、切断手段３４をラベルプリンタ１に設けない構成であってもよい。
【００２５】
ラベルプリンタ１は、印字機構部３を備える本体部１ａ上に回動自在に設けられた操作部７と、操作部７上に傾斜自在に設けられた表示部９ｂとを有し、表示部９ｂと操作部７とが連動して回動してなる。
【００２６】
次に、ラベルプリンタ１の操作部７および表示部９ｂについて、詳細に説明する。
【００２７】
ラベルプリンタ１は、印字機構部３を備える本体部１ａ上に、ラベルプリンタ上面からみて時計回り又は反時計回りに回動自在に設けられた操作部７と、操作部７上に傾斜自在に設けられた表示部９ｂとを有する。ラベルプリンタ１は、表示部９ｂと操作部７とが連動して回動するように構成されている。
【００２８】
詳細には、ラベルプリンタ１は、本体部１ａに対して操作部７を、軸Ｐを回転中心として回動自在に連結する連結部材７１を有する。
本実施形態では、連結部材７１は本体部１ａの上面側に設けられている。詳細には、連結部材７１は、本体部１ａの上面の中央よりも前方側に設けられており、操作部７の筐体部７ａの下部に回動自在に連結されている。また、本体部１ａに対する操作部７の回転角度は３６０°であってもよいし、正面側を基準として左右１８０°、９０°、４５などの任意の角度であってもよい。
【００２９】
また、ラベルプリンタ１は、操作部７に対して表示部９ｂを傾斜自在に連結するヒンジ部７５を有する。
実施形態では、ヒンジ部７５は、操作部７の筐体部７ａの後方付近と、表示部９ｂの筐体部５ａの下端付近とを連結するように設けられている。
具体的には、操作部７の筐体部７ａに設けられた複数の軸受環部７ｐと、表示部９ｂの筐体部５ａに設けられた複数の軸受環部５ｐとが交互に嵌合し、その軸受環部７ｐ、軸受環部５ｐに軸部材７５ｐが挿入されることにより、ヒンジ部７５が構成されている。
【００３０】
本体部１ａに対する表示部９ｂは、例えば、垂直に立設した状態を基準として０°から後方へ９０°程度傾斜可能に構成され、前方へ約３０°程度傾斜可能に構成されており、任意の傾斜角度で固定可能に構成されている。
【００３１】
以上、説明したように、本発明の実施形態に係るラベルプリンタ１は、印字機構部３を備える本体部１ａ上に、ラベルプリンタ上面からみて時計回り又は反時計回りに回動自在に設けられた操作部７と、操作部７上に傾斜自在に設けられた表示部９ｂとを有し、表示部９ｂと操作部７とが連動して回動するように構成されている。
【００３２】
このため、ラベルプリンタ１の本体部１ａの正面側でなくとも、操作部７および表示部９ｂを操作者側へ回動させることにより、良好な操作性、および、良好な視認性を容易に実現可能なラベルプリンタ１を提供することができる。
また、壁の近傍や狭い場所などにもラベルプリンタ１を設置することが可能となり、設置場所の制約が比較的小さい。
【００３３】
また、本発明の実施形態に係るラベルプリンタ１は、本体部１ａに対して操作部７を回動自在に連結する連結部材７１と、操作部７に対して表示部９ｂを傾斜自在に連結するヒンジ部７５と、を有する。つまり、ラベルプリンタ１は、２軸構造となっている。
このため、簡単な構造で、上述した良好な操作性、および、良好な視認性を容易に実現可能なラベルプリンタ１を提供することができる。
【００３４】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【００３５】
例えば、上述した実施形態では、表示部および操作部を備えたラベルプリンタを例に説明したが、この形態に限られるものではない。例えば、表示部および操作部を備えたＰＯＳレジスタ、包装装置、情報機器などにも適用することができる。
【符号の説明】
【００３６】
１  ラベルプリンタ
１ａ  本体部
３  印字機構部
５  表示入力部
７  操作部
９ａ  タッチパネル
９ｂ  表示部
７１  連結部材
７５  ヒンジ部
【図１】
2018197002.tif 000003
【図２】
2018197002.tif 000004
【図３】
2018197002.tif 000005
【図４】
2018197002.tif 000006
【図５】
2018197002.tif 000007
【図６】
2018197002.tif 000008